(57)【要約】【課題】毛髪束の巻き径又は巻き数を変更する操作を容易に行うことができ、且つ該巻き径又は巻き数を容易に把握することができる毛髪保持具を提供すること。【解決手段】一端の開口部２１から他端の開口部２２に向けて毛髪束を挿通可能なシートにより構成された筒状体２を備えており、該筒状体２は、巻き上げ可能に構成されている。筒状体２は、一定の幅を持って長手方向Ｘに延びている本体部２０と、該本体部２０の側縁から、幅方向の外方に延出する延出部２７とを有している。延出部２７は、筒状体２の一端の開口部２１側から他端の開口部２２に向けて、幅方向Ｙの長さが漸次拡大する幅拡大部２４を有している。【選択図】図２
2018153483.tif 000002
【特許請求の範囲】
【請求項１】
一端の開口部から他端の開口部に向けて毛髪束を挿通可能なシートにより構成された筒状体を備えた毛髪保持具であって、
前記筒状体は、巻き上げ可能に構成されており、且つ一定の幅を持って長手方向に延びている本体部と、該本体部の側縁から、幅方向の外方に延出する延出部とを有しており、
前記延出部は、前記筒状体の前記一端の開口部側から前記他端の開口部側に向けて、幅方向の長さが漸次拡大する幅拡大部を有している、毛髪保持具。
【請求項２】
前記毛髪保持具は、前記本体部の長手方向の両側それぞれに、前記幅拡大部を有する前記延出部を有している、請求項１に記載の毛髪保持具。
【請求項３】
前記幅拡大部の外観が、前記一端の開口部側から前記他端の開口部側に向けて漸次変化している、請求項１又は２に記載の毛髪保持具。
【請求項４】
前記幅拡大部が、前記毛髪保持具による毛髪束の巻き上げ時に、該毛髪束の巻き径又は巻き数を示す目印を有している、請求項１〜３の何れか１項に記載の毛髪保持具。
【請求項５】
前記筒状体は、一面シート及び他面シートを有しており、自然状態において一面シート及び他面シートの何れか一方側を内側にしてロール状に巻回されている、請求項１〜４の何れか１項に記載の毛髪保持具。
【請求項６】
前記筒状体は一面シート及び他面シートを有しており、
前記一面シート及び前記他面シートの何れか一方又は双方が形状記憶シートからなり、自然状態において、前記筒状体がロール状に巻回されており、
前記筒状体を引き伸ばして毛髪束を挿入した後、手を放すと、前記筒状体が前記毛髪束とともに巻き上がるようになされている、請求項１〜５の何れか１項に記載の毛髪保持具。
【請求項７】
請求項１〜６の何れか１項に記載の毛髪保持具と、前記筒状体に毛髪束を挿入する長尺状の毛髪挿入具とを備えた、毛髪処理器具。
【請求項８】
請求項１〜６の何れか１項に記載の毛髪保持具を用いて毛髪束に毛髪処理を行う毛髪処理方法であって、
前記筒状体を、前記本体部に挿通した前記毛髪束とともに巻き上げる際、前記幅拡大部を用いて、前記毛髪束の巻き径又は巻き数を調整する、毛髪処理方法。
【請求項９】
請求項１〜６の何れか１項に記載の毛髪保持具を複数用いて毛髪束に毛髪処理を行う毛髪処理方法であって、
前記筒状体を、該筒状体に挿通した前記毛髪束とともに巻き上げる際、前記幅拡大部を用いて、少なくとも２つの前記毛髪保持具間における前記毛髪束の巻き径又は巻き数を略同一にする、毛髪処理方法。
【発明の詳細な説明】
【技術分野】
【０００１】
本発明は、毛髪束を所定の形状に巻回するときに用いられる毛髪保持具、及びそれを用いた毛髪処理方法に関する。
【背景技術】
【０００２】
本出願人は、先に、扁平形状の筒状体からなる毛髪保持具であって、毛髪束の挿通された筒状体を複数種の巻き径の巻回状態に固定し得る巻き留め手段を具備している毛髪保持具を提案している（特許文献１）。
また、本出願人は、先に、毛髪束が挿通された状態で前記一方の面を外側にして巻回し得る筒状体と、前記筒状体の長手方向に延出して設けられた延設部と、前記筒状体を複数種の巻き径の巻回状態に固定し得る係止帯体とを具備する毛髪保持具を提案している（特許文献２）。
【０００３】
下記特許文献３には、一端の開口部から他端の開口部に向けて毛髪束を挿通可能なシートにより構成された扁平形状の筒状体からなる毛髪保持具が開示されている。この毛髪保持具は、挿通した毛髪を乾かすために、扁平形状の筒状体を構成するシートに多数の貫通孔が形成されている。
また、下記特許文献４には、毛髪の挿入口から該挿入口の反対側に向かって、幅が先細った略三角形状の毛髪保持具が開示されている。
【先行技術文献】
【特許文献】
【０００４】
【特許文献１】特開２００４−２０９２３７号公報
【特許文献２】特開２００４−１９４７７６号公報
【特許文献３】米国特許第３２５５７６５号明細書
【特許文献４】米国特許出願公開第２０１１／０１６８２０３号明細書
【発明の概要】
【発明が解決しようとする課題】
【０００５】
上記のような毛髪保持具を用いて毛髪束を巻き上げる際、毛髪束の巻き径又は巻き数を変更する操作が容易にできること、並びに該巻き径又は巻き数が容易に把握できることが求められている。しかし、特許文献１に記載の毛髪保持具は、毛髪束の巻き径又は巻き数を変更し難いものであり、特許文献２に記載の毛髪保持具は、巻き径又は巻き数を把握し難いものである。また、特許文献３及び４にそれぞれ記載の毛髪保持具は、毛髪束の巻き径又は巻き数を把握することに改善の余地があった。
【０００６】
従って、本発明の課題は、前述した従来技術が有する欠点を解消し得る毛髪保持具、毛髪処理器具、及びそれら道具を用いた毛髪処理方法を提供することにある。
【課題を解決するための手段】
【０００７】
本発明は、一端の開口部から他端の開口部に向けて毛髪束を挿通可能なシートにより構成された筒状体を備えた毛髪保持具であって、前記筒状体は、巻き上げ可能に構成されており、且つ一定の幅を持って長手方向に延びている本体部と、該本体部の側縁から、幅方向の外方に延出する延出部とを有しており、前記延出部は、前記筒状体の前記一端の開口部側から前記他端の開口部側に向けて、幅方向の長さが漸次拡大する幅拡大部を有している、毛髪保持具を提供するものである。
【０００８】
また、本発明は、毛髪保持具と、前記筒状体に毛髪束を挿入する長尺状の毛髪挿入具とを備えた、毛髪処理器具を提供するものである。
【０００９】
さらに、本発明は、前記毛髪保持具を用いて毛髪束に毛髪処理を行う毛髪処理方法であって、前記本体部を、前記本体部に挿通した前記毛髪束とともに巻き上げる際、前記幅拡大部を用いて、前記毛髪束の巻き径又は巻き数を調整する、毛髪処理方法を提供するものである。
【発明の効果】
【００１０】
本発明の毛髪保持具によれば、毛髪束の巻き径又は巻き数を変更する操作を容易に行うことができ、且つ該巻き径又は巻き数を容易に把握することができる。
【図面の簡単な説明】
【００１１】
【図１】図１は、本発明の毛髪保持具の一実施形態を示す正面図である。
【図２】図２は、図１に示す毛髪保持具の背面図である。
【図３】図３は、図１に示す毛髪保持具を巻回してロール状にした状態を示す正面図である。
【図４】図４（ａ）〜（ｃ）は、本発明に係る幅拡大部のバリエーションを示す正面図である。
【図５】図５は、巻き締め片を有する本発明の毛髪保持具を示す正面図である。
【図６】図６は、本発明のさらに別の実施形態である毛髪保持具を示す正面図である。
【図７】図７（ａ）及び図７（ｂ）は、図６に示す毛髪保持具を巻回した状態を示す正面図である。
【図８】図８は、本発明のさらに別の実施形態である毛髪保持具を巻回した状態を示す正面図である。
【図９】図９（ａ）〜（ｃ）は、図１に示す毛髪保持具を用いて毛髪束にカールを付与する手順を順次示す斜視図である。
【図１０】図１０は、図１に示す毛髪保持具を用いて、頭髪にカールを付与する状態を示す図である。
【発明を実施するための形態】
【００１２】
以下、本発明の毛髪保持具を、その好ましい実施形態に基づき、図面を参照しながら説明する。
本発明の一実施形態である毛髪保持具１を図１及び図２に示す。毛髪保持具１は、一端の開口部２１から他端の開口部２２に向けて毛髪束Ｈを挿通可能なシート２３Ａ、２３Ｂにより構成された筒状体２を有している。また、毛髪保持具１は、一定の幅を持って長手方向に延びている本体部２０と、該本体部の側縁から幅方向の外方に延出する延出部２７とを有している。
本実施形態においては、筒状体２が本体部２０を有している。また、本実施形態の毛髪保持具１は、長手方向Ｘと該長手方向Ｘに直交する幅方向Ｙを有している。
【００１３】
毛髪保持具１は、巻上げ時に内側に位置する一面シート２３Ａ及び巻き上げ時に外側に位置する他面シート２３Ｂから形成された筒状体２を有している。筒状体２は、図１及び図２に示すように、扁平形状であり、一端の開口部２１から挿入した毛髪束Ｈを、他端の開口部２２に向けて挿通する、長手方向Ｘに沿った挿通部２６を有している。筒状体２は、一方の面を形成するシート（以下「一面シート」ともいう）２３Ａと、他方の面を形成するシート（以下「他面シート」ともいう）２３Ｂとを接合させて形成されている。この一面シート２３Ａは、縦長の長方形形状を有しており、長手方向に沿う側縁部に沿った接合部２５を介して、他面シート２３Ｂと接合していることで、筒状体２を形成している。
また、毛髪保持具１は、筒状体２の一端の開口部２１側の端部に隣接する延設部４を有している。毛髪保持具１は延設部４がなくても良いが、毛髪束Ｈの挿入作業を容易にする観点から、延設部４を有していることが好ましい。
【００１４】
以下、一面シート２３Ａ及び他面シート２３Ｂに共通する説明を行う際には、「基材シート２３」と表現する。
基材シート２３の形成材料としては、例えば、不織布（ポリエチレン不織布、ポリエチレンテレフタレート不織布等）、織布、網状シート、多孔性又は非多孔性の樹脂フィルム（ポリエチレンフィルム、ポリエチレンテレフタレートフィルム等）、紙、高分子材料シート、ゴムシート、又はこれらの複合体等が挙げられる。
基材シート２３の厚みは、好ましくは５μｍ以上、より好ましくは１０μｍ以上であり、また好ましくは２０００μｍ以下、より好ましくは１５００μｍ以下であり、好ましくは５μｍ以上２０００μｍ以下、より好ましくは１０μｍ以上１５００μｍ以下である。
【００１５】
本実施形態の筒状体２は、巻き上げ可能に構成されている。巻き上げ可能な構成とは、図３に示すように、筒状体２を巻回してロール状にすることが可能であることを指す。このような構成は、自動的に巻き上がる構成であっても良く、手動で巻き上げる構成であっても良い。筒状体２の巻回をより容易に行う観点から、筒状体２は、自動的に巻き上がる構成であることが好ましい。自動的に巻き上がる構成は、例えば、自然状態において、筒状体２がロール状に巻回されており、該筒状体２を引き伸ばして毛髪束Ｈを挿入した後、手を放すと、筒状体２が毛髪束Ｈとともに巻き上がるようになされている構成が挙げられる。このような構成は、一面シート２３Ａ及び他面シート２３Ｂの何れか一方又は双方が形状記憶シートからなることにより具備することができる。形状記憶シートは、熱収縮率の異なるフィルムあるいは張力の違うフィルムを貼り合わせることによって形成することができる。また、筒状体２は、形状記憶シートの加熱により、記憶していた元のロール形状に復帰するものであっても良い。
【００１６】
また、本実施形態の毛髪保持具１は、自然状態において、筒状体２が引き伸ばされた状態であっても良いが、使用勝手の観点から、筒状体２は、自然状態において一面シート２３Ａ及び他面シート２３Ｂの何れか一方側を内側にしてロール状に巻回されていることが好ましい。
【００１７】
毛髪保持具１は、一定の幅を持って長手方向Ｘに延びている本体部２０を有している。より具体的には、筒状体２は、図１に示すように、縦長の長方形形状の本体部２０を有している。本体部２０は、図３に示すように、筒状体２を巻回した際、ロール状となった筒状体２の円周面上において、幅方向Ｙにおける長さが一定である。本実施形態の毛髪保持具１は、筒状体２を構成する複数枚のシートのうち少なくとも１枚のシートが、長手方向Ｘに亘って一定の幅を有する本体部２０を構成している。
本実施形態の本体部２０は、筒状体２を構成するシート２３Ａ，２３Ｂどうしを接合する接合部２５の外側の側縁２５ａが、該本体部２０の側縁となっている。また、接合部２５の外側の側縁２５ａと内側の側縁２５ｂとが平行である。本体部２０は、長手方向Ｘに沿う両外側縁が互いに平行であるが、接合部２５の内側の側縁２５ｂどうしは平行でなくても良い。
本実施形態の筒状体２は、長手方向Ｘの一端の開口部２１側の一端における幅方向Ｙの長さＷ１が、幅方向Ｙにおける筒状体２の最小長さであり、幅方向Ｙにおける本体部２０の長さＷ２０と一致している。
【００１８】
基材シート２３は、毛髪束Ｈと接する面に、毛髪処理剤の拡散性を向上させる加工が施されていることが好ましい。このような加工は、特に制限されないが、エンボス加工、カレンダー加工、樹脂加工等が挙げられる。例えばエンボス加工は、基材シート２３の長手方向に連なる凸部を形成することにより、毛髪処理剤が該凸部を伝うことで拡散性を向上させることができる。カレンダー加工は、基材シート２３の密度を調整することにより、毛髪処理剤の拡散性を向上させることができる。樹脂加工は、基材シート２３の一部あるいは全部に吸液性の低い樹脂膜を形成し基材シート全体の吸液量を低減させることにより、毛髪処理剤の拡散性を向上させることができる。
【００１９】
毛髪保持具１は、本体部２０の長手方向Ｘに沿う側縁から延出する延出部２７を有している。延出部２７は、本体部２０の側縁から、幅方向Ｙの外方に延出する部分である。また、延出部２７は、筒状体２の一端の開口部２１側から他端の開口部２２側に向けて、幅方向Ｙの長さが漸次拡大する幅拡大部２４を有している。幅拡大部２４は、図２に示すように、一端の開口部２１側から他端の開口部２２側に向けて、末広がり状の形状をなしている。このように、幅拡大部２４は、他端の開口部２２側の端部２４ａにおいて、該幅拡大部２４の幅Ｗ３が最も大きくなる。以下、幅拡大部２４の他端の開口部２２側の端部２４ａを、幅拡大部２４の下端２４ａともいう（図２参照）。幅方向Ｙにおける本体部２０の中央位置が略一致した状態に巻回されたロール状の本体部２０において、そのロール軸方向の両端それぞれから、幅拡大部２４が階段状に延出した状態となる（図３参照）。
このように、毛髪保持具１を用いて毛髪束Ｈを巻き上げて、ロール状とした際、本体部２０から延出する階段状の幅拡大部２４の重なり段数から、筒状体２と共に巻上げた毛髪束Ｈの巻き数を容易に把握することができ、毛髪束Ｈの巻き径の調整を容易に行うことができる。また、幅拡大部２４の下端２４ａの位置を調整することにより、毛髪束Ｈの巻き径の微調整を容易に行うことができる。
【００２０】
上記の効果について、図３を参照しながら、具体的に説明する。図３に示す毛髪保持具１は、筒状体２が巻回されて、ロール状となっている。ロール状の筒状体２の幅方向Ｙの両側それぞれには、階段状に重なった幅拡大部２４が幅方向Ｙの外方に延出している。この幅拡大部２４の重なり段数は、毛髪束Ｈの巻き数と対応しており、例えば図３に示すように、幅拡大部２４が３段重なるように巻回された毛髪保持具１では、毛髪束Ｈを２回巻回している。
【００２１】
また、毛髪保持具１は、巻回の程度を調整することで、毛髪保持具１で巻き上げた毛髪束Ｈを一定の巻き径に容易に調整することができる。具体的には、巻回してロール状となった毛髪保持具１において、幅拡大部２４の下端２４ａの位置を、毛髪保持具１を巻締めする巻締め方向Ｃ側にずらしていくと、毛髪束Ｈの巻き径を小さくすることができる。また、幅拡大部２４の下端２４ａを、毛髪保持具１の巻回を緩める緩め方向Ｄ側にずらしていくと、毛髪束Ｈの巻き径を大きくすることができる。このように、幅拡大部２４の下端２４ａの位置をずらすように毛髪保持具１を巻回することで、毛髪束Ｈの巻き径を所望の巻き径に微調整することができる。
【００２２】
幅拡大部２４は、図１及び図２に示すように、長手方向Ｘにおいて、筒状体２の一端の開口部２１側の端部から、他端の開口部２２側の端部まで筒状体２の略全長に亘って配されていても良い。図１及び図２に示す幅拡大部２４の長手方向Ｘにおける長さＬ２４は、筒状体２の長手方向Ｘにおける長さと同じであるが、該筒状体２の長手方向Ｘにおける長さよりも短くても良い。例えば、図４（ａ）に示す毛髪保持具１は、長手方向Ｘにおける長さが筒状体２よりも短い幅拡大部２４を有している。この幅拡大部２４は、該幅拡大部２４の下端２４ａの位置と、筒状体２の他端の開口部２２側の端部の位置とが一致するように配されている。また、図４（ｂ）に示す幅拡大部２４は、該幅拡大部２４の一端の開口部２１側の端部に短辺を有し、且つ他端の開口部２２側の端部に長辺を有する台形形状を有している。また、図４（ｃ）に示す幅拡大部２４は、長手方向Ｘにおける筒状体２の中間に、長手方向Ｘにおける幅拡大部２４の両端部が位置するように配されている。
上記とは逆に、幅拡大部２４は、長手方向Ｘにおける長さが筒状体２よりも長くても良い。この場合、幅拡大部２４は、長手方向Ｘにおいて筒状体２から延出していても良い。
【００２３】
上記の毛髪束Ｈの巻き数をより容易に把握し、毛髪束Ｈの巻き数又は巻き径をより容易に調整する観点から、幅拡大部２４及び本体部２０の寸法は、下記の範囲であることが好ましい。
幅方向Ｙにおける幅拡大部２４の最大長さＷ３（図２参照）は、幅方向Ｙにおける筒状体２の最大長さＷ２（図２参照）に対して、好ましくは１．６％以上、より好ましくは４．７％以上であり、また好ましくは９６．２％以下、より好ましくは６０．０％以下であり、また好ましくは１．６％以上９６．２％以下、より好ましくは４．７％以上６０．０％以下である。
幅方向Ｙにおける幅拡大部２４の最大長さＷ３（図２参照）は、幅方向Ｙにおける筒状体２の最小長さＷ１（図２参照）に対して、好ましくは２．５％以上、より好ましくは６．６％以上であり、また好ましくは２００％以下、より好ましくは１００％以下であり、また好ましくは２．５％以上２００％以下、より好ましくは６．６％以上１００％以下である。
幅方向Ｙにおける幅拡大部２４の最大長さＷ３（図２参照）は、好ましくは５ｍｍ以上、より好ましくは１０ｍｍ以上であり、また好ましくは５０ｍｍ以下、より好ましくは３０ｍｍ以下であり、また好ましくは５ｍｍ以上５０ｍｍ以下、より好ましくは１０ｍｍ以上３０ｍｍ以下である。
幅方向Ｙにおける幅拡大部２４の最小長さＷ４〔図４（ｂ）参照〕は、好ましくは０ｍｍ超、より好ましくは１ｍｍ以上であり、また好ましくは４５ｍｍ以下、より好ましくは２５ｍｍ以下であり、また好ましくは０ｍｍ以上４５ｍｍ以下、より好ましくは１ｍｍ以上２５ｍｍ以下である。
長手方向Ｘにおける幅拡大部２４の長さＬ２４〔図２及び図４（ａ）参照〕は、長手方向Ｘにおける筒状体２の長さＬ２（図２参照）に対して、好ましくは２２．２％以上、より好ましくは５５．６％以上であり、また好ましくは１００．０％以下、より好ましくは９０．９％以下であり、また好ましくは２２．２％以上１００．０％以下、より好ましくは５５．６％以上９０．９％以下である。
長手方向Ｘにおける幅拡大部２４の長さＬ２４〔図２及び図４（ａ）参照〕は、好ましくは１０ｍｍ以上、より好ましくは５０ｍｍ以上であり、また好ましくは３００ｍｍ以下、より好ましくは２５０ｍｍ以下であり、また好ましくは１０ｍｍ以上３００ｍｍ以下、より好ましくは５０ｍｍ以上２５０ｍｍ以下である。
【００２４】
本体部２０は一定の幅を持って長手方向Ｘに延びているため、幅方向Ｙにおける本体部２０の長さＷ２０は、長手方向Ｘにおいて一定である。
幅方向Ｙにおける本体部２０の長さＷ２０（図２参照）は、幅方向Ｙにおける筒状体２の最大長さＷ２に対して、好ましくは４２．９％以上、より好ましくは５０．０％以上であり、また好ましくは９６．７％以下、より好ましくは９０．５％以下であり、また好ましくは４２．９％以上９６．７％以下、より好ましくは５０．０％以上９０．５％以下である。
幅方向Ｙにおける本体部２０の長さＷ２０（図２参照）は、好ましくは１５ｍｍ以上、より好ましくは２５ｍｍ以上であり、また好ましくは２９０ｍｍ以下、より好ましくは１９０ｍｍ以下であり、また好ましくは１５ｍｍ以上２９０ｍｍ以下、より好ましくは２５ｍｍ以上１９０ｍｍ以下である。
【００２５】
幅方向Ｙにおける幅拡大部２４の最大長さＷ３は、長手方向Ｘにおける幅拡大部２４の長さＬ２４に対して（図２参照）、好ましくは１．６％以上、より好ましくは３．３％以上、さらに好ましくは１０％以上であり、また好ましくは５００％以下、より好ましくは３００％以下、さらに好ましくは１００％以下であり、また好ましくは１．６％以上５００％以下、より好ましくは３．３％以上３００％以下、さらに好ましくは１０％以上１００％以下である。
【００２６】
本実施形態において幅拡大部２４は、縦長の長方形の一面シート２３Ａと、長手方向の一方の端部から他方の端部に向けて、幅方向の長さが漸次増加する他面シート２３Ｂとを貼り合わせることにより形成されている。これとは逆に、幅拡大部２４は、縦長の長方形の他面シート２３Ｂと、長手方向の一方の端部から他方の端部に向けて、幅方向の長さが漸次増加する一面シート２３Ａとを貼り合わせて形成しても良い。また、同一寸法の長方形の一面シート２３Ａと他面シート２３Ｂとを貼り合わせた２枚重ねのシートの長手方向の側縁に、略三角形形状又は略台形形状の別体のシートを該２枚重ねのシートの幅方向に延出させた状態で接合して、幅拡大部２４を形成しても良い。
【００２７】
本実施形態の毛髪保持具１は、幅拡大部２４を本体部２０の両側縁に有しているが、幅拡大部２４を本体部２０の両側縁のうちいずれか一方に有していても良い。毛髪束Ｈの巻き数をより容易に把握する観点から、毛髪保持具１は、本体部２０の長手方向の両側それぞれに、幅拡大部２４を有していることが好ましい。
【００２８】
また、本実施形態の毛髪保持具１は、図１及び図２に示すように、本体部２０の長手方向Ｘの両側それぞれに、同形同大の幅拡大部２４を有している。これら２つの幅拡大部２４は、長手方向Ｘにおいて同じ位置に配されている。斯かる構成により、巻回してロール状とした毛髪保持具１において、長手方向Ｘにおける本体部２０の両側から、幅拡大部２４が幅方向Ｙの外方に左右対称の状態で延出するため、毛髪束Ｈの巻き数をより容易に把握することができる。このように、毛髪保持具１は、本体部２０の長手方向Ｘの両側において左右対称となる一対の幅拡大部２４を有していることが好ましい。
【００２９】
筒状体２の寸法等は、毛髪の長さやくせ付けしたい場所、挿入する毛髪束の量に応じて適宜に決定することができるが、下記の範囲であることが好ましい。
幅方向Ｙにおける筒状体２の最小長さＷ１（図２参照）は、好ましくは２５ｍｍ以上、より好ましくは３０ｍｍ以上であり、また好ましくは２００ｍｍ以下、より好ましくは１５０ｍｍ以下であり、また好ましくは２５ｍｍ以上２００ｍｍ以下、より好ましくは３０ｍｍ以上１５０ｍｍ以下である。幅方向Ｙにおける筒状体２の最小長さＷ１（図２参照）は、幅方向Ｙにおける本体部２０の長さであり、本実施形態においては、幅方向Ｙにおける筒状体２の一端の開口部２１側の端部の長さである。
幅方向Ｙにおける筒状体２の最大長さＷ２（図２参照）は、好ましくは３５ｍｍ以上、より好ましくは５０ｍｍ以上であり、また好ましくは３００ｍｍ以下、より好ましくは２１０ｍｍ以下であり、また好ましくは３５ｍｍ以上３００ｍｍ以下、より好ましくは５０ｍｍ以上２１０ｍｍ以下である。幅方向Ｙにおける筒状体２の最大長さＷ２は、本実施形態においては、幅方向Ｙにおける筒状体２の他端の開口部２２側の端部の長さである。
【００３０】
長手方向Ｘにおける毛髪保持具１の長さＬ（図２参照）は、好ましくは５０ｍｍ以上、より好ましくは１００ｍｍ以上であり、また好ましくは４００ｍｍ以下、より好ましくは３５０ｍｍ以下であり、また好ましくは５０ｍｍ以上４００ｍｍ以下、より好ましくは１００ｍｍ以上３５０ｍｍ以下である。長手方向Ｘにおける毛髪保持具１の長さＬは、長手方向Ｘにおける延設部４と、筒状体２との合計長さである。
長手方向Ｘにおける筒状体２の長さＬ２は、好ましくは４５ｍｍ以上、より好ましくは９０ｍｍ以上であり、また好ましくは３００ｍｍ以下、より好ましくは２７５ｍｍ以下であり、また好ましくは４５ｍｍ以上３００ｍｍ以下、より好ましくは９０ｍｍ以上２７５ｍｍ以下である。
【００３１】
幅方向Ｙにおける一端の開口部２１の長さＷ２１（図２参照）は、幅方向Ｙにおける本体部２０の長さＷ２０に対して、好ましくは４０．０％以上、より好ましくは６６．７％以上であり、また好ましくは９７．５％以下、より好ましくは９６．７％以下であり、また好ましくは４０．０％以上９７．５％以下、より好ましくは６６．７％以上９６．７％以下である。
幅方向Ｙにおける他端の開口部２２の長さＷ２２（図２参照）は、幅方向Ｙにおける本体部２０の長さＷ２０に対して、好ましくは４０．０％以上、より好ましくは６６．７％以上であり、また好ましくは９７．５％以下、より好ましくは９６．７％以下であり、また好ましくは４０．０％以上９７．５％以下、より好ましくは６６．７％以上９６．７％以下である。
幅方向Ｙにおける一端の開口部２１の長さＷ２１（図２参照）は、好ましくは１０ｍｍ以上、より好ましくは２０ｍｍ以上であり、また好ましくは１９５ｍｍ以下、より好ましくは１４５ｍｍ以下であり、また好ましくは１０ｍｍ以上１９５ｍｍ以下、より好ましくは２０ｍｍ以上１４５ｍｍ以下である。
幅方向Ｙにおける一端の開口部２１の長さＷ２２（図２参照）は、好ましくは１０ｍｍ以上、より好ましくは２０ｍｍ以上であり、また好ましくは１９５ｍｍ以下、より好ましくは１４５ｍｍ以下であり、また好ましくは１０ｍｍ以上１９５ｍｍ以下、より好ましくは２０ｍｍ以上１４５ｍｍ以下である。
【００３２】
幅拡大部２４は、上述したとおり、本体部２０の側縁から延出する延出部２７の内、筒状体２の一端の開口部２１側から他端の開口部２２側に向けて、幅方向Ｙの長さが漸次増加する部分である。毛髪保持具１は、幅拡大部２４の他に、幅方向Ｙの長さが漸次増加していない延出部２７を有していても良い。
【００３３】
毛髪保持具１は、一面シート２３Ａ又は他面シート２３Ｂにスリットを有していなくても良いし、有していても良い。本施形態における毛髪保持具１は、図２に示すように、他面シート２３Ｂに幅方向に延びる横長のスリット６を有している。斯かる構成により、毛髪保持具１を構成する基材シート２３の伸長性を向上させることができ、筒状体２をスムーズに巻き上げることができる。このように、筒状体２を構成する一方の面又は他方の面のシートに、該筒状体２の幅方向に長い形状の複数個のスリットが該筒状体２の長手方向に離間して直列に形成されていることが好ましく、筒状体２を構成する一方の面及び他方の面のシートの両方に、前記複数個のスリットが形成されていることがより好ましい。また、前記複数個のスリットは、筒状体２の長手方向に離間して直列に形成されていることが好ましい。筒状体２をスムーズに巻き上げる観点から、巻き上げ時に外側となる他面シート２３Ｂに長手方向に離間させて複数のスリットが形成されていることが好ましい。図２に示すスリットの他に、例えば、特開２００６−１２９９７２号公報に記載のスリットを設けることができる。
【００３４】
ここで、他面シート２３Ｂの幅方向に延びるスリットは、該スリットの筒状体２の長手方向における長さが３ｍｍ未満のものを意味する。また、幅方向Ｙにおけるスリット６の長さＷ６（図２参照）は、幅方向Ｙにおける本体部２０の長さＷ２０に対して、好ましくは４０．０％以上、より好ましくは５０．０％以上であり、また好ましくは９０．０％以下、より好ましくは８０．０％以下であり、また好ましくは４０．０％以上９０．０％以下、より好ましくは５０．０％以上８０．０％以下である。
また、幅方向Ｙにおけるスリット６の長さＷ６（図２参照）は、好ましくは１０ｍｍ以上、より好ましくは１５ｍｍ以上であり、また好ましくは１８０ｍｍ以下、より好ましくは１２０ｍｍ以下であり、また好ましくは１０ｍｍ以上１８０ｍｍ以下、より好ましくは１５ｍｍ以上１２０ｍｍ以下である。
【００３５】
筒状体２の一端の開口部２１の端部近傍には、図１及び図２に示すように、一面シート２３Ａから筒状体２の長手方向に延出した延設部４が設けられている。本実施形態においては、一面シート２３Ａと延設部４とは一体形成されている。
【００３６】
本実施形態の延設部４における他面シート２３Ｂとの反対側には、図１に示すように、巻き留め部５が設けられている。巻き留め部５は、他面シート２３Ｂに係合可能なもので、巻き上げ状態の筒状体２を巻き留め部５に係合させることにより筒状体２の巻き上げ状態を維持するものである。巻き留め部５としては、他面シート２３Ｂに係合可能なものであれば種々のものを用いることができ、本実施形態においては、メカニカルファスナーのオス部材を用いている。
【００３７】
毛髪保持具１は、図１及び図２に示すように、巻き締め片８を有していなくても良いが、巻き締め片８を有していても良い。具体的には、図５に示すように、毛髪保持具１は、幅拡大部２４の下端２４ａ側に、幅方向Ｙの外方側に延出した巻き締め片８を有している。斯かる構成により、毛髪束Ｈを挿通した筒状体２を巻回する際、巻き締め片を手で把持して筒状体２を巻き上げると、筒状体２を容易に且つ必要に応じてきつく巻き上げることができる。このように、毛髪保持具１は、巻き締め片８を有していることが好ましい。また、巻回作業及び毛髪束Ｈの巻き数及び巻き径の調整を容易にする観点から、巻き締め片８は、幅拡大部２４よりも幅方向Ｙの外方側に延出していることが好ましい。図５に示す巻き締め片８の他に、例えば、特開２００６−１２９９７２号公報の段落〔００１９〕に記載のものを巻き締め片８として設けることができる。巻き締め片８の形成方法、形状、大きさ、厚さ、配置等は適宜設定できる。
【００３８】
幅拡大部２４は、毛髪束Ｈの巻き数をより容易に把握するための外観を有していても良い。より具体的には、図６及び図７に示す幅拡大部２４は、一端の開口部２１側から他端の開口部２２側に向かって着色が漸次濃くなっていくグラデーションが施されている。斯かる構成により、幅拡大部２４の重なり段数を目視で確認し易くなるため、毛髪束Ｈの巻き数及び巻き径の調整をより容易に行うことができる。このように、幅拡大部２４の外観が、一端の開口部２１側から他端の開口部２２側に向けて漸次変化していることが好ましい。また、一端の開口部２１側から他端の開口部２２側に向けて漸次変化している模様、色彩又はこれらの結合を幅拡大部２４に施すことが好ましい。例えば、図６及び図７に示すグラデーションの他に、直径が長手方向Ｘに漸次変化するドット状の模様や、幅方向Ｙに振幅する波線が長手方向Ｘに延びており、且つ該波線の振幅が漸次変化する波線模様等が挙げられる。
尚、毛髪保持具１は、図１及び２に示すように、幅拡大部２４の外観が上記のように変化していなくても良い。
【００３９】
また、毛髪束Ｈの巻き径の微調整をより正確に行う観点から、幅拡大部２４の少なくとも一方が、毛髪保持具１による毛髪の巻き上げ時に、該毛髪の巻き径又は巻き数を示す目印を有していることが好ましい。この目印の具体例として、図８に示すような巻き径に対応した巻き径目盛りが挙げられる。図８に示すように、幅拡大部２４の所定の位置に設けた基準目盛りＢを、各巻き径目盛りＭに合わせるように毛髪保持具１を巻回することで、毛髪束Ｈを目的の巻き径に調整することができる。この他に、幅拡大部２４の下端２４ａと、巻き径目盛りＭの位置を合わせるように毛髪保持具１を巻回することで、毛髪束Ｈの巻き径を調整することができる。また、図８に示すように、長手方向Ｘにおける本体部２０の両側の幅拡大部２４が、上記の目印を有していても良く、長手方向Ｘにおける本体部２０の両側の何れか一方の幅拡大部２４が、上記の目印を有していても良い。
【００４０】
本発明の毛髪保持具１は、前記実施形態に制限されることなく、本発明の趣旨を逸脱しない限り、適宜変更が可能である。
例えば、筒状体２は、その形成方法について特に制限はなく、シートを縫合、融着又は接着して形成したものでもよい。
また、毛髪保持具１は、本発明の効果を損なわない範囲で、幅方向Ｙにおける長さが一部異なる部分を有していても良い。
また、一面シート２３Ａは縦長の長方形形状でなくてもよく、開口部２１の上縁部が曲線をなすよう形成されていても良い。
尚、本発明の毛髪保持具１における「筒状体２」を構成するシート材の形状及びその表面状態は、上述の形態の筒状体を形成可能なものであれば良く、「扁平形状」という場合、シート材の表面は、凹凸面であってもよい。
【００４１】
また、本発明の毛髪保持具は、毛髪処理剤を用いたパーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し自然乾燥させたりして、毛髪にカールを付与する場合等にも適用することができるが、毛髪処理剤を用いたパーマ処理に好適に用いることができる。
【００４２】
本発明の毛髪処理器具は、本発明の毛髪保持具１と、筒状体２に毛髪束Ｈを挿入する長尺状の毛髪挿入具とを備えている。毛髪束Ｈの挿入作業をより容易にする観点から、毛髪挿入具は、毛髪束Ｈをフック可能なフック部が設けられていることが好ましい。このような毛髪挿入具を用いると、毛髪束Ｈを筒状体２に容易に挿通できる。また、毛髪挿入具として、特開２００８−６１９５９号公報に記載のもの等を用いることもできる。
【００４３】
次に、本実施形態における毛髪保持具１を用いた、本発明の毛髪処理方法について、パーマ処理により毛髪（頭髪）に直接カールを付与する場合について、図９及び図１０を参照しながら説明する。この毛髪処理方法では、筒状体２を、該筒状体２に挿通した毛髪束Ｈとともに巻き上げる際、幅拡大部２４を用いて、具体的には幅拡大部２４を目安として、毛髪束Ｈの巻き径又は巻き数を調整する。
【００４４】
先ず、毛髪束Ｈの量や得ようとするカール形状に応じて、適当な長さ及び幅を有する筒状体２からなる毛髪保持具１を用い、図９（ａ）に示すように、引き伸ばした筒状体２の一端の開口部２１に毛髪束Ｈを挿入する。この際、毛髪保持具１の一端の開口部２１は楕円状に開口されても良いが、必要に応じ、該開口部２１を真円状に開口した方が、毛髪束Ｈをスムーズに挿通させ易い。また、毛髪束Ｈの挿通作業をスムーズに行う観点から、上述した毛髪挿入具を用いて、毛髪束Ｈの挿通作業を行うことが好ましい。また、図９（ａ）に示すように、毛髪束Ｈの先端を筒状体２の他端の開口部２２からはみ出させてもよい。
【００４５】
毛髪束Ｈを筒状体２に挿通させた後、図９（ｂ）及び（ｃ）に示すように、筒状体２をその他端の開口部２２の側から、一面シート２３Ａを内側にして巻き上げる。この際、幅拡大部２４を用いて、毛髪束Ｈの巻き径又は巻き数を調整することができる。幅拡大部２４は、上述したように、毛髪保持具１を巻回してロール状とした際に、該幅拡大部２４の重なり段数から、巻き数を容易に把握することができる。例えば、図１０に示すように、毛髪保持具１を用いて頭髪にカールを付与する際、毛髪束Ｈを毛髪保持具１とともに巻き上げた毛髪保持具１は、頭髪にぶら下がった状態においても、幅拡大部２４が毛髪保持具１の幅方向外方に延出しているため視認し易く、美容師等の操作者が毛髪束Ｈの巻き数を容易に把握することができる。また、幅拡大部２４の下端２４ａの位置等で、毛髪束Ｈの巻き径を微調整することが容易である。また、筒状体２を巻き上げた後、巻き留め部５と他面シート２３Ｂとを係合させることで、筒状体２が所定の巻き径の巻き上げ状態で固定される。
【００４６】
次に、毛髪保持具１で巻き上げた毛髪束Ｈにパーマ用の毛髪処理剤を付与する。毛髪処理剤は、筒状体２の外側から毛髪束Ｈに付与する。そして所定時間後、筒状体２から毛髪束Ｈを抜き取り、洗髪等して、パーマ処理を完了する。２剤式のパーマ用毛髪処理剤の場合は、毛髪保持具１で巻き上げた毛髪束Ｈに、筒状体２の外側から第１液を付与した後、毛髪束Ｈを抜き取る前に毛髪束Ｈに第２液を塗布する。そして所定時間後、筒状体２から毛髪束Ｈを抜き取り、洗髪等して、パーマ処理を完了することができる。
【００４７】
複数の毛髪束Ｈにカールを付与する場合、各毛髪束Ｈに巻き数又は巻き径を揃えることがある。複数の毛髪束Ｈに均一なカールを確実に、且つ容易に付与する観点から、本発明の毛髪処理方法は、本発明の毛髪保持具１を複数用いて、筒状体２を、該筒状体２に挿通した毛髪束Ｈとともに巻き上げる際、幅拡大部２４を用いて、少なくとも２つの毛髪保持具１間における毛髪束Ｈの巻き径又は巻き数を略同一にすることが好ましい。特に、頭髪に左右対称な複数のカールを付与する際に、本発明の毛髪処理方法を好適に用いることができる。
【００４８】
本発明の範囲は上記の実施形態に制限されない。
例えば、毛髪処理剤は、パーマ剤の他、染毛剤、脱色剤、スタイリング剤、水等が挙げられる。
【符号の説明】
【００４９】
１                  毛髪保持具
２                  筒状体
２０              本体部
２１、２２        開口部
２３              基材シート
２３Ａ，２３Ｂ  シート
２４              幅拡大部
４                  延設部
５                  巻き留め部
８                  巻き締め片
Ｈ                  毛髪束
【図１】
2018153483.tif 000003
【図２】
2018153483.tif 000004
【図３】
2018153483.tif 000005
【図４】
2018153483.tif 000006
【図５】
2018153483.tif 000007
【図６】
2018153483.tif 000008
【図７】
2018153483.tif 000009
【図８】
2018153483.tif 000010
【図９】
2018153483.tif 000011
【図１０】
2018153483.tif 000012